【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】  感光体と、帯電された前記感光体を露光する露光手段と、を有する画像形成装置において、
前記感光体表面の電位減衰特性を２次元的に表した特性テーブルを記憶した記憶手段と、前記記憶手段に記憶された前記特性テーブルに基づき前記露光手段を制御する制御手段と、を有する、
ことを特徴とする画像形成装置。
【請求項２】  前記制御手段は前記露光手段の光量を制御する、
ことを特徴とする請求項１記載の画像形成装置。
【請求項３】  前記感光体は移動可能であり、前記記憶手段は前記感光体表面をその移動方向と直交する方向及び移動方向に多数に分割したブロックごとの電位減衰特性を前記特性テーブルとして記憶する、
ことを特徴とする請求項１記載の画像形成装置。
【請求項４】  前記露光手段は光源と、前記光源から出射されたレーザ光を偏向する偏向手段と、を有し、前記感光体の移動方向と直交する方向は前記偏向手段による前記感光体走査方向である、
ことを特徴とする請求項３記載の画像形成装置。
【請求項５】  前記ブロックは前記露光手段の記録解像度に応じて設定される、
ことを特徴とする請求項３記載の画像形成装置。
【請求項６】  前記感光体は光導電層を有する、
ことを特徴とする請求項１記載の画像形成装置。
【請求項７】  前記光導電層が、シリコン原子を母体とし水素原子とハロゲン原子とのうちの少なくとも一方を含有する非単結晶材料によって形成されている、
ことを特徴とする請求項６記載の画像形成装置。
【請求項８】  前記感光体は移動可能であり、前記感光体の移動方向の位置を検知する検知手段を有する、
ことを特徴とする請求項１記載の画像形成装置。
【請求項９】  前記記憶手段は前記感光体と一体的に設けられている、
ことを特徴とする請求項１記載の画像形成装置。
【請求項１０】  前記記憶手段は前記感光体を除く装置本体側に設けられている、
ことを特徴とする請求項１記載の画像形成装置。
【手続補正２】
【補正対象書類名】明細書
【補正対象項目名】００１４
【補正方法】変更
【補正の内容】
【００１４】
【課題を解決するための手段】
上述の目的を達成するための請求項１に係る本発明は、感光体と、帯電された前記感光体を露光する露光手段と、を有する画像形成装置において、前記感光体表面の電位減衰特性を２次元的に表した特性テーブルを記憶した記憶手段と、前記記憶手段に記憶された前記特性テーブルに基づき前記露光手段を制御する制御手段と、を有する、ことを特徴とする。
【手続補正３】
【補正対象書類名】明細書
【補正対象項目名】００１５
【補正方法】変更
【補正の内容】
【００１５】
請求項２に係る本発明は、請求項１の画像形成装置において、前記制御手段は前記露光手段の光量を制御する、ことを特徴とする。
【手続補正４】
【補正対象書類名】明細書
【補正対象項目名】００１６
【補正方法】変更
【補正の内容】
【００１６】
請求項３に係る本発明は、請求項１の画像形成装置において、前記感光体は移動可能であり、前記記憶手段は前記感光体表面をその移動方向と直交する方向及び移動方向に多数に分割したブロックごとの電位減衰特性を前記特性テーブルとして記憶する、ことを特徴とする。
【手続補正５】
【補正対象書類名】明細書
【補正対象項目名】００１７
【補正方法】変更
【補正の内容】
【００１７】
請求項４に係る本発明は、請求項３の画像形成装置において、前記露光手段は光源と、前記光源から出射されたレーザ光を偏向する偏向手段と、を有し、前記感光体の移動方向と直交する方向は前記偏向手段による前記感光体走査方向である、ことを特徴とする。
【手続補正６】
【補正対象書類名】明細書
【補正対象項目名】００１８
【補正方法】変更
【補正の内容】
【００１８】
請求項５に係る本発明は、請求項３の画像形成装置において、前記ブロックは前記露光手段の記録解像度に応じて設定される、ことを特徴とする。
【手続補正７】
【補正対象書類名】明細書
【補正対象項目名】００１９
【補正方法】変更
【補正の内容】
【００１９】
請求項６に係る本発明は、請求項１の画像形成装置において、前記感光体は光導電層を有する、ことを特徴とする。
【手続補正８】
【補正対象書類名】明細書
【補正対象項目名】００２０
【補正方法】変更
【補正の内容】
【００２０】
請求項７に係る本発明は、請求項６の画像形成装置において、前記光導電層が、シリコン原子を母体とし水素原子とハロゲン原子とのうちの少なくとも一方を含有する非単結晶材料によって形成されている、ことを特徴とする。
請求項８に係る本発明は、請求項１の画像形成装置において、前記感光体は移動可能であり、前記感光体の移動方向の位置を検知する検知手段を有する、ことを特徴とする。
請求項９に係る本発明は、請求項１の画像形成装置において、前記記憶手段は前記感光体と一体的に設けられている、ことを特徴とする。
請求項１０に係る本発明は、請求項１の画像形成装置において、前記記憶手段は前記感光体を除く装置本体側に設けられている、ことを特徴とする。
【手続補正９】
【補正対象書類名】明細書
【補正対象項目名】００２４
【補正方法】変更
【補正の内容】
【００２４】
同図に示す画像形成装置は、画像形成装置本体Ａの内部に、像担持体としてドラム形の電子写真感光体（以下「感光ドラム」という。）１を備えている。感光ドラム１の周囲にはその回転方向に沿ってほぼ順に、帯電装置２、露光装置（露光手段）３、現像装置４、転写装置５、クリーニング装置６、前帯電器７等が配設されている。また、記録材（例えば、紙）Ｐの搬送方向に沿っての上流側から順に、給搬送装置８、定着装置９、排紙トレイ１０が配設されており、画像形成装置本体Ａの上部には、画像読取装置１１が配設されている。
【手続補正１０】
【補正対象書類名】明細書
【補正対象項目名】００２７
【補正方法】変更
【補正の内容】
【００２７】
帯電後の感光ドラム１は、露光装置３によって静電潜像が形成される。画像読取装置１１は、矢印Ｋ１２方向及びその反対方向に移動可能な光源１１ａを有しており、光源１１ａは、原稿台ガラス１１ｂ上に画像面を下方に向けて載置された原稿Ｄの画像面を照射する。画像面からの反射光は、反射ミラー、レンズ等を介してＣＣＤ（いずれも不図示）によって読み取られ、読み取られた画像情報は、適宜に加工されて露光装置３に入力される。露光装置３は、レーザ光を出射するレーザ発振器（光源）３ａと、偏向手段としてのポリゴンミラー３ｂ、レンズ３ｃ、反射ミラー３ｄとを有しており、上述の画像読取装置１１から入力された画像情報に応じて感光ドラム１表面を露光して静電潜像を形成する。
【手続補正１１】
【補正対象書類名】明細書
【補正対象項目名】００３８
【補正方法】変更
【補正の内容】
【００３８】
本実施の形態で感光ドラム１として用いたａ−Ｓｉ感光体は、製造時における各ａ−Ｓｉ感光体ごとにその電位減衰特性を２次元的に表した特性テーブルとしてもつようにしている。すなわち、各ａ−Ｓｉ感光体表面を帯電した後、露光位置において露光装置により所定の光量で露光し、その後、現像位置でのａ−Ｓｉ感光体の表面電位をａ−Ｓｉ感光体内部に設置されたメモリチップ（記憶手段）に記録しておくのである。この特性テーブルはａ−Ｓｉ感光体表面全域を、露光装置３の光走査方向についての主走査方向（感光体長手方向）及び副走査方向（感光体回転方向）に、記録解像度に合わせた適当な多数のブロックに区画し、各ブロックごとの電位減衰をデータを記憶して全体として電位減衰特性マップを作成するものである。
【手続補正１２】
【補正対象書類名】明細書
【補正対象項目名】００４１
【補正方法】変更
【補正の内容】
【００４１】
このメモリチップに記憶された電位減衰特性マップのデータは、その感光ドラム１（ａ−Ｓｉ感光体）を画像形成装置本体Ａにセットした際に画像形成装置本体Ａ側の不図示の制御装置（制御手段）によって読み取り、その各ブロックごとのデータをもとに、現像位置において均一な表面電位となるように、露光装置３（本実施の形態では、レーザを使用している）の露光光量を電位減衰特性マップに記録されたブロックごとに変更することで制御する。
【手続補正１３】
【補正対象書類名】明細書
【補正対象項目名】００４３
【補正方法】変更
【補正の内容】
【００４３】
図６に示すように、ａ−Ｓｉ感光体である感光ドラム１の軸方向の両端部のそれぞれに取り付けられたフランジ３０、３１のうちの、感光ドラム１を画像形成装置本体Ａに装着する際の先端側のフランジ３０に、ドラム内部のメモリチップ３２（図７（ａ）参照）への接点（検知手段）３３を設ける。画像形成装置本体Ａは、この接点３３を通じてメモリチップ３２から、装着された感光ドラム１の帯電特性についてのブロックデータを読み取る。この接点３３が位置情報を検知する手段を兼ねる。方法としては、図７（ａ）の状態が感光ドラム停止時であり、画像形成装置本体Ａ側に配設したメモリデータ読み取り用のピン３４が接点３３に加圧されて固定されているが、図７（ｂ）に示す感光ドラム駆動時にはピン３４は、加圧解除されて接点３３から離れ、したがって感光ドラム１は、フリーで回転可能となっている。回転していた感光ドラム１が停止されるときには、感光ドラム１の停止直前に、ピン３４が加圧されて接点３３に固定され、感光ドラム１が停止するようになっている。